(57)【要約】【課題】本発明は、省スペースで、機構、構造が簡単で、必要なスペースが小さく、部品点数が少なく、操作が確実でなレンズ保護装置を提供する。【解決手段】レンズ保護バリヤ１０を２枚の羽根１１、１２に分割し、２枚の羽根１１、１２を軸１３周りに旋回自在に軸１３に取付け、一方のバリヤ羽根１２の旋回ガイド２１をキャビネット２に設け、他方のバリヤ羽根１１の旋回ガイド２２を前記一方のバリヤ羽根１２の羽根面に沿って設けた。【選択図】　　　　図２
2004139032.tif 000002
【特許請求の範囲】
【請求項１】
レンズが露出する開口を有するキャビネットの該レンズ開口を開閉自在に覆うレンズ保護装置において、
　１つの軸のまわりに旋回自在に取り付けられ前記レンズ開口を分担して覆うとともに該レンズ開口から退避して互いに重なる２枚のバリア羽根からなるレンズ保護バリアを備えたことを特徴とするレンズ保護装置。
【請求項２】
前記キャビネットが、一方のバリア羽根の旋回を案内する旋回ガイドを備えたことを特徴とする請求項１記載のレンズ保護装置。
【請求項３】
前記一方のバリア羽根が、他方のバリア羽根の旋回を案内する旋回ガイドを備えたことを特徴とする請求項２記載のレンズ保護装置。
【請求項４】
前記２枚のバリア羽根は、前記レンズ開口の一部を覆う半月形状の一方のバリア羽根と、前記レンズ開口を該一方のバリア羽根で覆い切れない欠損部分の形状からなる他方のバリア羽根とからなるものであることを特徴とする請求項１記載のレンズ保護装置。
【請求項５】
前記２枚のバリア羽根を前記軸の周りに旋回させる駆動装置を備えたことを特徴とする請求項１記載のレンズ保護装置。
【発明の詳細な説明】
【技術分野】
【０００１】
　本発明は、カメラ等に搭載されてレンズを保護するレンズ保護装置に関する。
【背景技術】
【０００２】
　キャビネット側に、レンズ保護のためにバリヤが取り付けてあるカメラにおいて、バリヤが待避するスペースが少ない場合、従来、バリヤを２枚羽根構造にし、重ねて収納したり、左右に待避させて省スペース化するなどの対策が採られている。しかし、従来の技術はバリヤが横移働するように構成されているため、ラック、ピニオン、レバー等の機構部品が数多く必要であった。従って、部品点数が多く、コストもかかり、またその機構部分を収納するスペースが必要であった。
【０００３】
　例えば、鏡筒カバー先端部のレンズ開口に、光軸と直交方向に開閉する複数枚の移動自在なバリヤ装置であって、移動方向ラックと、このラックに噛み合うギアと、駆動ラックと、操作部材とを備えた技術がある（例えば、特許文献１参照。）。この技術は、小さな装着スペースで部品点数が少なく、小型軽量のカメラに適しているとされているが、レンズ開口開放時にラックが突出した位置に移動するなど、小型化に十分に適合したものとは言えない。また、複数のラックやピニオン、ギヤ等の多くの機構部品が必要である。
【０００４】
　また、２分割バリヤと、これを連接する連接レバーと、開き位置又は閉じ位置に保持させる保持部と、移動空間を形成する受け板とを備え、２分割バリヤ、受け板の形状が同一の球心を持つ球殻の一部であるバリヤ装置がある（例えば、特許文献２参照。）。この装置は、構造が簡単で部品点数が少なく、コンパクトであると共に、バリヤの途中停止の防止や、開位置での安定した保持が可能で、操作の高級感、耐久性、機能性を満足させるものであるとしている。この装置はバリヤが水平移動するもので、手動装置であり、リンクや復帰スプリング等の部品を要し、水平方向の大きなスペースを要する。
【特許文献１】実用新案登録第２５９３８７８号公報
【特許文献２】特開平５−２１６０９２号公報（段落０００７参照）
【発明の開示】
【発明が解決しようとする課題】
【０００５】
　本発明は、上記従来技術に比べて省スペースで、機構が簡単なレンズ保護装置を開発し、これを提供することを目的とするものである。
【課題を解決するための手段】
【０００６】
　本発明は、上記問題点を解決するためになされたもので、次の技術手段を講じたことを特徴とするレンズ保護装置である。すなわち、本発明は、レンズが露出する開口を有するキャビネットの該レンズ開口を開閉自在に覆うレンズ保護装置において、
　１つの軸のまわりに旋回自在に取り付けられ前記レンズ開口を分担して覆うとともに該レンズ開口から退避して互いに重なる２枚のバリア羽根からなるレンズ保護バリアを備えたことを特徴とするレンズ保護装置である。
【０００７】
　本発明は、２枚羽根バリヤの駆動を同軸の旋回方式とし、構造の単純化により、機構部品が最小限に押さえられている。
【０００８】
　ここで、本発明のレンズ保護装置は、上記キャビネットが、一方のバリア羽根の旋回を案内する旋回ガイドを備えた構成をすることが好ましく、また、上記一方のバリア羽根が、他方のバリア羽根の旋回を案内する旋回ガイドを備えた構成とすることが好ましい。
【０００９】
　こうすることで、回動軌跡でキャビネットのガイドから脱落するような形状でも、バリヤを２枚羽根化することが実現可能であり、コスト的にもスペース的にも、メリットのあるバリヤ機構が構成される。
【００１０】
　また、本発明のレンズ保護装置は、上記２枚のバリア羽根が、上記レンズ開口の一部を覆う半月形状の一方のバリア羽根と、レンズ開口をその一方のバリア羽根で覆い切れない欠損部分の形状からなる他方のバリア羽根とからなるものであることが好ましい。
【００１１】
　さらに、本発明のレンズ保護装置は、上記２枚のバリア羽根を上記軸の周りに旋回させる駆動装置を備えることが好ましく、こうすることによりバリア羽根を自動開閉することができる。
【発明の効果】
【００１２】
　本発明のレンズ保護装置は以上のように構成されているので、機構、構造が簡単であり、必要なスペースが小さく、部品点数が少なく、操作が確実で、コストダウンに貢献するという優れた効果を奏する。
【発明を実施するための最良の形態】
【００１３】
　以下、図面を参照して本発明の実施の形態を説明する。
【００１４】
　図１は本発明一実施形態のレンズ保護装置を示すカメラの分解斜視図で、カメラの前面側キャビネットのみをその背面側から見た図である。図１はバリヤ１０及びその駆動装置３１をキャビネットに取付ける前の状態を示すものである。図２はバリヤ１０をキャビネット２に組立てた状態を示す背面図、図３はバリヤ１０の閉状態を示すカメラ１の正面図である。図４はバリヤ１０の開状態を透視して示す、カメラ１の正面図である。
【００１５】
　本発明のレンズ保護装置は、レンズ保護バリヤ１０を２枚の羽根１１、１２に分割している。２枚の羽根１１、１２は例えば半月とその欠損部分とからなり、半月側（羽根１２）をやや大きく形成しておくと好適である。この２枚の羽根１１、１２は、図３に示すように、レンズを覆うとき円形のバリヤ１０を形成するように隣接し、レンズを開放するときは、２枚の羽根の一方の半月板（羽根１２）内に他方の欠損部のバリヤ（羽根１１）が重なって収納される。キャビネット２の内部の、レンズ開口３に対応した位置には、図示しない撮影用のレンズが配備され、２枚の羽根１１、１２が開くと撮影用のレンズがレンズ開口３から露呈され、２枚の羽根１１、１２が閉じるとそのレンズ前面が覆われる。この２枚の羽根１１、１２は同一の軸１３の周りに旋回する。旋回範囲は、レンズ開口３を完全に覆う位置とレンズ開口３からはずれた位置である。この２枚の羽根１１、１２は旋回自在に旋回中心軸１３に取付けられている。旋回する羽根は旋回ガイドによって先端を案内される。２枚の分割された羽根１１、１２のうち、一方のバリヤ羽根１２の旋回ガイド２１は、キャビネット２に取付けて設けられている。他方のバリヤ羽根１１の旋回ガイド２２は、前記一方のバリヤ羽根１２の羽根面に沿って設けられている。
【００１６】
　図５は、バリアとそのバリアを駆動する駆動装置を示す斜視図である。
【００１７】
　駆動装置３０には、モータ３１が備えられており、そのモータ３１はいくつかのギアを介して出力軸３２を回動させる。また、この駆動装置には、バリアの回動の中心となる回動中心軸１３が取り付けられている。
【００１８】
　一方バリアには旋回中心軸１３が貫入して旋回中心となる旋回中心孔１４が設けられている。この旋回中心孔１４は、２枚のバリア羽根１１，１２の双方に設けられており、それら双方のバリア羽根１１，１２に設けられた旋回中心孔１４が連通するように重ねられ、旋回中心軸１３は、それら双方の旋回中心孔１４に貫入している。
【００１９】
　またバリア羽根１２には扇形の開口１５が設けられており、もう一方のバリア羽根１１には、扇形の開口１５に重なるとともに出力軸３２が嵌入する略長方形状の駆動開口１６が設けられている。
【００２０】
　出力軸３２は、駆動開口１６に嵌入するとともに扇形の開口１５にも入り込み、出力軸３２が駆動するとその出力軸３２の回動に伴ってバリア羽根１１が旋回中心軸１３を中心に旋回し、駆動開口１６が扇形の開口１５の一方の端に達すると、その後はバリア羽根１２もバリア羽根１１と一緒に旋回する。
【００２１】
　扇形の開口の幅は、旋回方向に応じて、図４に示すように２枚のバリア羽根１１，１２が共同してレンズ開口３を覆う状態とバリア羽根１１がバリア羽根１２に重なる状態との双方の状態となるように決められている。
【００２２】
　この駆動機構は、部品点数が少なく、組み立て工程が簡単であり、また省スペースの点でも従来に比べ格別の効果がある。
【図面の簡単な説明】
【００２３】
【図１】本発明の実施例のレンズ保護装置を示す分解斜視図である。
【図２】組み立てた実施例のレンズ保護装置の背面図である。
【図３】バリヤ閉状態を示すカメラの正面図である。
【図４】バリヤ開状態を透視して示すカメラの正面図である。
【図５】バリアとそのバリアを駆動する駆動装置を示す斜視図である。
【符号の説明】
【００２４】
　１　　カメラ
　２　　キャビネット
　３　　レンズ開口
　１０　　レンズ保護バリヤ
　１１、１２　　バリア羽根
　１３　　旋回中心軸
　１４　　旋回中心孔
　１５　　扇形の開口
　１６　　駆動開口
　２１、２２　　旋回ガイド
　３０　　駆動装置
　３１　　モータ
　３２　　出力軸
【図１】
2004139032.tif 000003
【図２】
2004139032.tif 000004
【図３】
2004139032.tif 000005
【図４】
2004139032.tif 000006
【図５】
2004139032.tif 000007